(57)【要約】【課題】磁気テープ１２上に発生するドロップアウトの原因がパーマネントのものかテンポラリーのものかを、磁気テープ１２上における記録再生位置を正確には測定することなく、容易に判定できる様にする。【解決手段】磁気テープ１２に対する基準信号Ｓ１の記録および再生を複数回繰り返して２値データ列２４からなる検知データを取得したあと、各検知データの時間軸を一致させる第１のデータ処理と、検知データの各ビット和をとってその値からドロップアウトの種類がパーマネントか否かを判定する第２のデータ処理とを行う。【選択図】  図１
2004319036.tif 000002
【特許請求の範囲】
【請求項１】
所定の記録再生手段をその記録面に対して相対的に移行させることにより複数回に亘るデータの記録再生動作を可能とする記録媒体におけるドロップアウトの検知方法であって、
前記記録媒体の記録面に、所定の繰り返し周期の基準信号を記録する記録工程と、
該記録工程において記録された基準信号を読み出す再生工程と、
その再生された基準信号からドロップアウトの発生箇所に対応したドロップアウト信号を順次に取り出す検知工程と、
取り出されたドロップアウト信号列を記憶する記憶工程と、
を１回分の検知動作とし、その検知動作を複数回繰り返すことにより、複数のドロップアウト信号列を取り出すとともに、
取り出したドロップアウト信号列を互いに比較し、少なくとも全てのドロップアウト信号列中においてドロップアウト信号が出力されている箇所を、恒久的なドロップアウトの箇所として判定することを特徴とするドロップアウト検知方法。
【請求項２】
前記検知工程は、前記基準信号のレベルが設定値を超える毎に、該基準信号の１周期より長いパルス幅の矩形波を出力することにより、所定周期分だけ連続して基準信号が検出されない期間に対応してドロップアウト信号を出力するものである請求項１記載のドロップアウト検知方法。
【請求項３】
前記検知工程は、前記基準信号が設定値を超える時期に対応してパルス状のドロップアウト信号を出力するものであり、
該ドロップアウト信号を含むドロップアウト信号列は、サンプリングされ、２値データ化された２値データ列として記憶されるものであり、
その記憶された複数の２値データ列は、比較に先立ってその時間軸の一致が図られる請求項１記載のドロップアウト検知方法。
【請求項４】
前記時間軸の一致動作は、任意に取り出した２つの２値データ列を互いに１ビットずつずらせながら、ドロップアウトの発生位置における２つの２値データ列間で一致するビット位置の数を総計し、その総数が最大となるずらせ位置で時間軸の一致を図る請求項３記載のドロップアウト検知方法。
【請求項５】
前記時間軸の一致動作が行われた全ての２値データ列における各ビット位置毎に、ドロップアウトの発生数を総計し、少なくとも全ての２値データ列でドロップアウトに対応するビットの存在が確認されると、そのビット位置を恒久的なドロップアウトであると判定する請求項４記載のドロップアウト検知方法。
【請求項６】
前記ドロップアウト信号列中におけるドロップアウト信号の持続長さは、実際のドロップアウト検知時間よりも十分に長く設定されるとともに、
その期間中はドロップアウトの検知動作が停止されている請求項１記載のドロップアウト検知方法。
【請求項７】
前記ドロップアウト信号が出力されるのに対応して、前記記録媒体の記録面上における対応位置に、所定のマークを形成することを特徴とする請求項６記載のドロップアウト検知方法。
【請求項８】
前記マークは、前記恒久的なドロップアウトと判定された位置に対応して形成される請求項７記載のドロップアウト検知方法。
【請求項９】
前記記録媒体は磁気テープであり、その記録面に対して磁気ヘッドを相対的に移行させることにより、複数回に亘るデータの記録再生動作を可能とする請求項１乃至８の何れかに記載のドロップアウト検知方法。
【請求項１０】
磁気テープの走行部と、
磁気テープの記録面に対して磁気ヘッドを相対的に移行させることにより、複数回に亘る基準信号の記録および再生動作を可能とする記録再生部と、
該記録再生部から取り出される基準信号中のドロップアウトに対応したドロップアウト信号が含まれる信号列を出力する検知部と、
該検知部から出力される信号列を複数保存可能とする記憶部と、
該記憶部に保存された複数の信号列を互いに比較し、恒久的なドロップアウト位置を特定する演算部と、
該演算部の演算結果を表示する表示部とを備え、
前記記録再生部では、前記磁気テープの記録面に一定周波数の基準信号を一連に記録した直後に読み出すことを可能とし、
前記検知部では、前記記録再生部から読み出された一連の基準信号中で、読み出しレベルが設定値を下回る信号位置に対応してドロップアウト信号を出力することを可能とし、
前記演算部では、記憶部から取り出した信号列を互いに比較し、少なくとも全ての信号列中においてドロップアウト信号が出力されている箇所を、恒久的なドロップアウトの箇所として判定することを特徴とするドロップアウト検知装置。
【請求項１１】
前記磁気ヘッドには、前記磁気テープにおける基準信号の記録再生用素子とは別に、マークの記録再生用素子を備え、
前記ドロップアウト信号の出力中に対応して、磁気テープ上にマークが磁気的に記録される請求項１０記載のドロップアウト検知装置。
【請求項１２】
前記演算部でパーマネントなドロップアウトの箇所が特定されると、その特定箇所に対応して、前記マークの記録再生用素子を用いてマーク付けがされる請求項１１記載のドロップアウト検知装置。
【発明の詳細な説明】
【０００１】
【発明の属する技術分野】
この発明は、磁気テープの様な複数回の記録再生を可能とする記録媒体上におけるドロップアウトの検知方法および装置に関する。
【０００２】
【従来の技術】
従来この種ドロップアウトの検知は、磁気テープを走行させながら予め記録しておいた信号を再生し、その再生信号の検出レベルが設定値を下回ったときに対応してテープ上に所定のマークを順次に施すことにより、ドロップアウトの発生位置を特定することが行われることが一般的であった（例えば、特許文献１あるいは２参照）。
【０００３】
【特許文献１】
特開平６−３２８３号公報
【特許文献２】
特開平５−１２６６３号公報
【０００４】
【発明が解決しようとする課題】
ところで磁気テープのドロップアウトには、テープ表面の欠陥が原因で発生し再現性のあるパーマネントなドロップアウトと、ヘッドタッチや電気ノイズが原因で再現性のないテンポラリーなドロップアウトと、テープ表面の付着物などが原因で発生するこれらの中間的なドロップアウトとがあることが知られるが、上記した従来の方法だけでは、その区別をつけることはできない。
【０００５】
そこで、ドロップアウトの詳細な原因解析を行うには、マークされたドロップアウトの箇所を拡大観察する手法などが用いられるが、テンポラリなドロップアウトは物理的な変化を伴わないため、検出された全てドロップアウトからパーマネントのドロップアウトのみを特定すべく顕微鏡等で拡大観察するのは大変手間がかかる作業である。
【０００６】
したがって、そのドロップアウトがパーマネントかテンポラリーかを予め知るだけでも欠陥の発生原因をかなり絞り込むことが可能となり、さらにパーマネントなドロップアウトだけを拡大観察することにより、効率良く欠陥発生の原因解析ができ有用である。
【０００７】
ところで、フレキシブルディスクの様なディスクタイプの記録媒体ではドロップアウトが比較的少なく、また同一トラックを繰返し測定するのが容易で、基準位置からの回転角度もインデックスパルスからの経過時間を測ることで正確に測定できるため、ドロップアウト測定時に同じトラックを繰返し測定することでパーマネントかどうかを調べることも考えられる。
【０００８】
しかしテープタイプの記録媒体では、同一箇所を繰返し測定するには再生と巻き戻しを繰り返さねばならず、測定自体に手間がかかるとともに、長手位置を正確に知るための情報が元々ないために、複数回の検知データ間における時間軸を一致させることが難しく、各ドロップアウト位置がパーマネントかどうかを調べるのは非常に困難であった。
【０００９】
更に近年、テープ１巻あたりの記録容量上昇により記録波長が短くなり、これによって再生ヘッドからのＳ／Ｎが低下し、ヘッドタッチや電気ノイズによるテンポラリーなドロップアウトが増える傾向にある。特に波長が１μｍ以下になるとテンポラリーなドロップアウトが非常に多くなり、上記した拡大観察による原因特定率が著しく低下している。
【００１０】
本発明はかかる不都合に鑑みてなされたものであって、記録媒体に対する記録および再生を複数回繰り返して比較することにより、ドロップアウトの原因がパーマネントのものかテンポラリーのものかを容易に判定できるドロップアウト検知方法および装置を提供することを目的とする。
【００１１】
本発明はまた、検知可能とするドロップアウトの分解能を任意かつ容易に変更できるドロップアウトの検知方法を提供することを目的とする。
【００１２】
本発明は更に、記録媒体上における記録再生位置が特定できない場合にあっても、複数の検知データにおける時間軸の一致を正確に図ることができる検知方法を提供することを目的とする。
【００１３】
本発明は更にまた、記録媒体に対する記録再生中における走行速度にむらが発生した場合にあっても、パーマネントなドロップアウトの箇所を誤検知することを未然に防止できる検知方法を提供することを目的とする。
【００１４】
【課題を解決するための手段】
本発明にかかるドロップアウトの検知方法は、磁気テープの様な記録媒体に対して磁気ヘッドの様な記録再生手段を相対的に移行させることにより、複数回に亘るデータの記録再生動作を可能とするものである。
【００１５】
ここで、記録媒体の記録面に、図３（ａ）の様な所定の繰り返し周期Ｔ１の基準信号Ｓ１を記録する記録工程と、その記録工程において記録された基準信号Ｓ１を読み出す再生工程と、その再生された基準信号Ｓ１からドロップアウトの発生箇所ＤＯに対応したドロップアウト信号Ｓ５を順次に取り出す検知工程と、図４（ｅ）の如く取り出されたドロップアウト信号列２０を記憶する記憶工程とを１回分の検知動作とする。
【００１６】
そして、その一連の検知動作を複数回繰り返すことにより、複数のドロップアウト信号列２０を取り出すとともに、取り出したドロップアウト信号列２０を互いに比較し、少なくとも全てのドロップアウト信号列２０中においてドロップアウト信号が出力されている箇所を、恒久的なドロップアウトの箇所ＤＯとして判定することを特徴とする。
【００１７】
検知工程は、基準信号Ｓ１のレベルが図３（ａ）の様に設定値ＶＵを超える毎に、図３（ｃ）の様にその基準信号の１周期Ｔ１より長いパルス幅Ｔ２のパルス信号Ｓ３を出力することにより、所定周期分だけ連続して基準信号Ｓ１が検出されない時期に対応してドロップアウト信号を出力するものである。
【００１８】
また検知工程は、基準信号Ｓ１が設定値ＶＵを超える時期に対応してパルス状のドロップアウト信号を出力するものであり、そのドロップアウト信号を含むドロップアウト信号列２０は更にサンプリングされ、２値データ化された２値データ列２４として記憶される。更にその記憶された複数の２値データ列２４は、比較に先立ってその時間軸の一致が図られる。
【００１９】
この時間軸の一致動作は、任意に取り出した２つの２値データ列２４・２４ａを図５の様に互いに１ビットずつずらせながら、ドロップアウトの発生位置における２つの２値データ列間で一致するビット位置の数を総計し、その総数が最大となるずらせ位置で時間軸の一致を図る。
【００２０】
時間軸の一致動作が行われた全ての２値データ列２４における各ビット位置毎に、図６（ｆ）の様にドロップアウトの発生数を総計し、少なくとも全ての２値データ列でドロップアウトに対応するビットの存在が確認されると、そのビット位置を恒久的なドロップアウトであると判定する。
【００２１】
ドロップアウト信号列２０中におけるドロップアウト信号Ｓ５の持続長さＴ４は、実際のドロップアウト検知時間よりも十分に長く設定されるとともに、その期間中はドロップアウトの検知動作が停止されている。
【００２２】
そして、ドロップアウト信号Ｓ５が出力されると、記録媒体の記録面上における対応位置に所定のマークを形成するが、そのマークは、恒久的なドロップアウトと判定された位置に対応して形成されることが好ましい。
【００２３】
また本発明にかかるドロップアウト検知装置１０は、図１にその全体的な構成を概略的に示す如く、磁気テープ１２の走行部１３と、磁気テープ１２の記録面１６に対して磁気ヘッド３８を相対的に移行させることにより、複数回に亘る基準信号Ｓ１の記録および再生動作を可能とする記録再生部１８と、その記録再生部１８から取り出される基準信号Ｓ１中のドロップアウトに対応したドロップアウト信号が含まれる信号列２０を出力する検知部２２と、その検知部２２から出力される信号列を複数保存可能とする記憶部３０と、その記憶部３０に保存された複数の信号列を互いに比較し、恒久的なドロップアウト箇所ＤＯを特定する演算部２８と、その演算部２８の演算結果を表示する表示部３２とを備えている。
【００２４】
そして記録再生部１８では、磁気テープ１２の記録面１６に一定周波数の基準信号Ｓ１を一連に記録した直後に読み出すことを可能とし、検知部２０では、記録再生部１８から読み出された一連の基準信号Ｓ１中で、読み出しレベルが設定値ＶＵを下回る信号位置に対応してドロップアウト信号を出力することを可能とし、更に演算部２８では、記憶部３０から取り出した信号列を互いに比較し、少なくとも全ての信号列中においてドロップアウト信号が出力されている箇所を、恒久的なドロップアウトの箇所ＤＯとして判定することを特徴とする。
【００２５】
また磁気ヘッド３８には、磁気テープ１２における基準信号Ｓ１の記録再生用素子４４とは別に、マークの記録再生用素子４６を備え、ドロップアウト信号Ｓ５の出力中に対応して、磁気テープ１２上にマークが磁気的に記録される。演算部２８でパーマネントなドロップアウトの箇所が特定されると、その特定箇所に対応して、マークの記録再生用素子を用いてマーク付けがされることが好ましい。
【００２６】
【発明の実施の形態】
以下本発明にかかるドロップアウトの検知方法を、磁気テープのドロップアウト検知装置に実施した一例を示す。しかしながら、記録媒体としては光磁気方式など、複数回の記録再生が可能な記録媒体であれば任意に変更して実施できるし、その記録媒体の形状もディスク状など限定されるものではない。
【００２７】
ドロップアウト検知装置１０は、図１にその全体的な構成を概略的に示す如く、磁気テープ１２を移行させる走行部１３と、その走行部１３の動作を制御する駆動部１４と、磁気テープ１２の記録面１６上に所定の基準信号Ｓ１を記録および再生可能とする記録再生部１８と、取り出された基準信号Ｓ１からドロップアウトの箇所ＤＯを特定したドロップアウト信号列２０を作成する検知部２２と、ドロップアウト信号列２０をコンピュータソフトウェアによりデータ処理可能な２値データ列２４に変換するデータ変換部２６と、２値データ列２４からパーマネントなドロップアウト部分を特定する演算部２８と、２値データ列２４を始めとする各種データを保存可能とする記憶部３０と、特定された検知内容を表示する表示部３２と、装置全体を制御する制御部３４とから構成される。
【００２８】
なお、以下に示す実施例では、上記した各部を一体に備え、その全体あるいは大部分をプログラムにより自動的にデータ処理するものに基づいて説明する。しかしながら、各構成要素を個別の装置で構成し、各装置から取り出されたデータを表計算ソフトの様な所定のプログラムを用い、手動部分も含めて逐次的に実行させることも可能である。
【００２９】
磁気テープ１２の走行部１３および駆動部１４は、従来のテープ式のレコーダと略同様な構成および機能を有するものであって、制御部３４からの制御に基づいてモータ３６の回転速度あるいは回転方向を規制することにより、少なくとも磁気テープ１２の高速による巻き戻しと、一定速度による送り動作とを、自動あるいは手動で複数回繰り返すことを可能とする。
【００３０】
記録再生部１８は、従来のテープ式のレコーダとその基本的な構成および動作は同じであって、磁気テープ１２の記録面１６に密着して磁気ヘッド３８を備え、その磁気ヘッド３８を介して記録面１６上に電気信号の記録および再生を可能とする。その場合、実施例の様に磁気ヘッド３８が固定されたものに限らず、磁気テープ１２と磁気ヘッド３８の少なくとも一方が移動することにより、両者が相対的な動きをするものであれば、適宜変更して実施できる。
【００３１】
磁気ヘッド３８は、図２に例示する如く、記録素子４０と再生素子４２を磁気テープ１２の長手方向に接近させて配備したものを１組とし、幅方向に第１の記録再生素子４４および第２の記録再生素子４６の少なくとも２組分備えた複数トラック形式のものが使用される。
【００３２】
そして、発振器４８および第１の記録再生素子４４を用いて例えば正弦波状の基準信号Ｓ１の記録再生を行わせる一方、第２の記録再生素子４６を用いて、図２の様にドロップアウトの発生箇所ＤＯに対するマーク信号Ｓ５’の記録再生を行わせる。
【００３３】
上記した記録再生部１８を介して磁気テープ１２の長手方向に記録再生される図３（ａ）に例示する基準信号Ｓ１の周波数は、検出を欲するドロップアウトの解像度に対応して任意に設定変更されるものである。例えば磁気テープ１２の走行速度を毎秒１ｍに設定した場合、周波数が５ＭＨｚであると１波長Ｔ１は０．２μｓであるから、記録面１６上での１波長分の長さは０．２μｍとなる。
【００３４】
したがって、５ＭＨｚの基準信号Ｓ１を磁気テープ１２上に記録することは、０．２μｍ間隔で検知用の印をつけることに対応し、更にこの基準信号Ｓ１を規定のレベルで読み出すことができれば、０．２μｍの解像度でドロップアウトＤＯの有無を検出できることを意味する。
【００３５】
そこで検知部２２にあっては、先ず第１段階として、図３（ａ）に示す再生された基準信号Ｓ１を比較器５０に入力し、その比較器５０で基準信号Ｓ１が設定値ＶＵを上回る期間に対応してパルス状の第１の検知信号Ｓ２を出力することにより、図３（ｂ）の様に、基準信号Ｓ１の周期Ｔ１を繰り返し周期とする第１の検知信号Ｓ２が形成される。
【００３６】
かかる構成により、ドロップアウトを発生させる何らかの原因で基準信号Ｓ１の出力レベルが設定値ＶＵを下回ると、図３（ｂ）において破線で示す如く、第１の検知信号Ｓ２の抜け落ちＳ２’が発生することを利用し、ドロップアウトＤＯの検出が行われる。
【００３７】
この第１の検知信号Ｓ２の抜け落ちＳ２’を含むパルス信号列を、そのままその後の演算部２８で利用することも基本的には可能である。しかしながら、第１の検知信号Ｓ２のパルス幅およびパルスの変化時点は基準信号Ｓ１のピークレベルが変化すると変動するため、本実施例にあっては以下の第２のデータ処理を行う。
【００３８】
すなわち、第１の検知信号Ｓ２を第１の単安定マルチバイブレータ５２に入力することにより、その検知信号Ｓ２の各立ち上がり時点ｔ１に対応して所定時間幅Ｔ２のパルス信号Ｓ３を発生させる。
【００３９】
ここでパルス信号Ｓ３のパルス幅Ｔ２は、例えば０．３〜３０μｓの範囲で変更可能とする。一方、入力される第１の検知信号Ｓ２の周期Ｔ１が約０．２μｓの場合、パルス信号Ｓ３のパルス幅Ｔ２を０．２μｓより大きく設定すると、第１の検知信号Ｓ２が１つの抜け落ちもなく発生されている限りは、各パルス信号Ｓ３の立下り時点ｔ３と立ち上がり時点ｔ２とに重複が発生する結果、連続した「Ｈ」レベルの信号Ｓ３が出力される。
【００４０】
図示例は前記したＴ２の値をＴ１の２倍よりやや大きく設定した場合であって、第１の検知信号Ｓ２に抜け落ちＳ２’が２つ連続して発生すると、パルス信号Ｓ３のレベルは時刻ｔ３で「Ｌ」に下がり、その「Ｌ」レベルの状態は次のパルス信号Ｓ２が発生する時点ｔ４まで持続するので、この「Ｌ」レベルの信号部分Ｓ４がドロップアウトの発生位置に対応した第２の検知信号Ｓ４となる。
【００４１】
なお、パルス信号Ｓ３のパルス幅Ｔ２を、検出すべき第１の信号Ｓ２の周期Ｔ１より大きく設定することにより、例えば０．２μｓでは１個の、２μｍでは１０個の連続したパルスの抜け落ちが発生した場合に対応して第２の検知信号Ｓ４が発生され、検出可能なドロップアウトＤＯの大きさを、基準信号Ｓ１における周期Ｔ１の整数倍で変更することができる。
【００４２】
ところで、第２の検知信号Ｓ４のパルス幅Ｔ３は、最小の場合は０．２μｓ以下と極めて短いとともに、抜け落ちが連続して発生した場合は、そのパルス数に対応して可変の値となるなど一定しないため、データ処理には不適である。
【００４３】
そこで、第２の検知信号Ｓ４を更に第２の単安定マルチバイブレータ５４の入力とすることにより、第２の検知信号Ｓ４の立下りに対応して、パルス幅Ｔ４が１ｍｓ程度と十分長く、且つ、一定のパルス幅のドロップアウト信号Ｓ５に変換し、ドロップアウト信号列２０を形成可能としている。
【００４４】
それと同時に、ドロップアウト信号Ｓ５は磁気ヘッド３８の第２の記録再生素子４６にマーク信号Ｓ５’として送られ、図２の様なマーク付けが行われる。かかるドロップアウト箇所ＤＯの検知動作を、制御部３４によるコントロールで一連の磁気テープ１２における始端から終端位置にまで行い、更に磁気テープ１２の同一範囲について複数回（本実施例にあっては５回）繰り返すことにより、５組のドロップアウト信号列２０が取り出されるとともに、５回の検知動作でその存在が確認された全てのドロップアウトの発生位置に対して、上記した方法によるマーク付けが行われる。
【００４５】
すなわち、図４（ｂ）において、磁気テープ１２を一杯にまで巻き戻した始端位置での停止状態から、時刻ｔ０に加速を始め、時刻ｔ１１に一定速度に達したあと所定長さ分だけ磁気テープ１２を移行させ、終端に近づいた時刻ｔ２２に減速をして時刻ｔ３３に停止する動作を、１回分の検知動作とする。
【００４６】
その際、上記した基準信号Ｓ１が下限電圧ＶＬを超えた事を検出することにより磁気テープ１２の移行開始時ｔ０を制御部３４に知らせ、更にその時点ｔ０から設定時間後のｔ１１を安定走行状態に達したものとみなす。同様に、下限電圧ＶＬを基準信号Ｓ１が下回った時点を磁気テープ１２が終端に達して停止した時点ｔ３３と判断し、その時点から設定時間前の時刻ｔ２２までを安定走行範囲とみなして、時刻ｔ１１からｔ２２までをデータの有効領域として上記したドロップアウト信号列２０の発生および保存を行うことにより、磁気テープ１２における略同一範囲内の状態に対応したドロップアウト信号列２０を形成可能とするのである。
【００４７】
なお、各ドロップアウト信号Ｓ５の出力期間中も、上記した検知部２２によるドロップアウト箇所ＤＯの検出動作を継続することは可能である。しかしながら本実施例にあっては、ドロップアウトの発生箇所ＤＯは集中し、頻繁なドロップアウト信号Ｓ５の出力は誤検知を引き起こす可能性が高いことを考慮して、ドロップアウト信号Ｓ５の出力中は上記した検知動作を停止することとしている。しかしながら、この期間中も検知動作を行い、以下のデータ処理を行わせることができることは勿論である。
【００４８】
また、５回分のドロップアウト信号列２０をそのまま記憶することが可能であれば、ＡＮＤ回路の様な所定の論理回路を用いてアナログ的にデータ処理することも可能である。
【００４９】
しかしながら本実施例にあっては、図４（ｅ）に示すドロップアウト信号列２０を変換部２６でサンプリングし、図４（ｆ）の様にその信号列の「Ｌ」レベルを「０」に、「Ｈ」レベルを「１」に変換して図５あるいは図６の様に２値数の羅列で表現することにより、ドロップアウト信号列２０を２値データ化して演算部２８のメモリに保存可能とするとともに、演算部２８でコンピュータソフトウェアを使用したデジタル的なデータ処理が行われる様にしている。
【００５０】
更にサンプリングレートを、例えば１秒間に５０００回に設定することにより、前記した１ｍｓのドロップアウト信号Ｓ５を図６の様に４〜５個の複数個の「１」データで表示し、以下において詳述する２値データ列２４の比較時において、ドロップアウト箇所ＤＯの見逃しを最少限に抑制可能としている。
【００５１】
なおサンプリングレートは、２値データ化した際の全体のデータ量を勘案しながら設定され、またドロップアウト信号Ｓ５のパルス幅は、そのサンプリングレートで複数回（好ましくは５回程度）のサンプリング動作が可能な値に設定されるものであって、その測定環境等に対応して適宜変更して実施できる。
【００５２】
ところで、検知対象となる磁気テープ１２の検査中におけるテープの伸縮がなく、また磁気テープ１２の始端と終端が正確に特定できるとともに、両端間の走行速度にむらがなく一定であれば、上記の様にして取り出された５回分の２値データ列２４における時間軸は結果的にビット単位で正確に一致されており、単純に始点からの各ビット位置データを比較していくことにより、ドロップアウト箇所ＤＯは特定できる。
【００５３】
しかしながら実際の検知環境にあっては、検知範囲の両端を一致させることは勿論、その間を微細な変動もなく一定速度でテープを走行させることは極めて難しい。
【００５４】
そこで本発明にあっては、それらの要素が正確に制御できないことを前提として、第１段階として５組の２値データ列２４における時間軸を一致させるデータ処理を行ったのち、第２段階としてドロップアウトの検出位置に微小なズレが存在することを考慮にいれながら各ビットの値を比較することにより、各ドロップアウト箇所ＤＯをパーマネントなものとそうでないものとに区別可能とする。
【００５５】
まず、第１段階の５回分の２値データ列２４における位置合わせについては、２値データ列２４を２組取り出し、任意の基準位置から前後に１ビットずつシフトさせながら、両データの一致度を調べる方法を採用した。
【００５６】
例えば、図５の様な２つの２値データ列２４・２４ａが得られた場合、図５（ｂ）に示す様に２値データ列２４・２４ａを互いに比較した状態をオフセット量が「０」の基準状態と仮定し、両データ列の対応するビット位置の値が共に「１」であるビット数をカウントすると、その個数は「１」である。
【００５７】
次に、下側の２値データ列２４を左側に１ビットシフトした、図５（ａ）に示すオフセット量が−１の場合における一致度は「１」であるが、図５（ｃ）の様に右側に１ビットシフトさせたオフセット量が「＋１」の場合は一致度が「３」、図５（ｄ）の様に２ビットシフトさせた場合の一致度は「１」となる。
【００５８】
以上の様に、オフセット量をプラスおよびマイナス方向に１ビットずつ変化させながら一致度を調べることにより、一致度が最大のオフセット量から２つの２値データ列２４・２４ａにおける時間軸の一致が図られる。
【００５９】
例えば、長さが６ｍの磁気テープ１２を検査対象とし、上記した方法により３００００個の２値数からなる２値データ列２４を５組分出力し、その内の任意の２組に対してオフセット量をプラスおよびマイナスの両方向に２００ビットずつとって一致度を調べた。その結果、ある特定のオフセット量で一致度が「約９００」に跳ね上がるが、それ以外のオフセット量では「３００前後」の略一定値を示し、２組の２値データ列２４・２４ａにおける時間軸を上記した方法により１ビット単位で正確に一致させられることが確認された。
【００６０】
そこで、かかる時間軸の一致動作を他の２値データ列２４に対しても順次に実行することにより、５つの２値データ列２４における時間軸の一致が互いに図れる。例えば、第１と第２、第２と第３、第３と第４、第４と第５番目の２値データ列２４を比較することにより第１から第５番目までを順次に時間軸の一致を図った状態で、第５番目と第１番目の一致が図られていれば、第１〜第５の全ての２値データ列２４における時間軸が一致されたことが判定される。
【００６１】
この様にして、時間軸が図６（ａ）〜（ｅ）の様に一致された５つの２値データ列２４は、更に第２段階として、各ビット位置における「１」データの存在個数が図６（ｆ）の様にカウントされる。ここで、ドロップアウトがパーマネントのものであれば、検出回数に関係なく、全ての２値データ列２４において「１」データが出力されているはずであるから合計数は「５」となるが、テンポラリーなものであれば、ドロップアウトが検知されない場合が存在するので、その程度に応じてカウント数は「１〜４」となる。
【００６２】
そこで、少なくとも５回分の２値データ列２４における全てに「１」データが存在することにより、ある特定のドロップアウト箇所に対応するビット和の数が「５」の場合、それをパーマネントなドロップアウトと判定することが可能である。
【００６３】
その際、１つのドロップアウト箇所ＤＯに対して、１つの「１」データを出力させるのではなく、本実施例では４〜５個の「１」データが出力される様に構成している。かかる構成により、磁気テープ１２の走行にむらがあり、各ドロップアウト信号Ｓ５の形成位置が５回ともに微妙なズレがある場合にあっても、そのズレが４ビット以内であれば、全ての２値データ列２４中に重複箇所が少なくとも１ビット分存在する。
【００６４】
データ処理される前の２値データ列２４中では、図６（ａ）〜（ｅ）の様に、幅が５ビットで大きさが１の矩形状態であったものが、上記の様にしてビット和がとられた結果は、図６（ｆ）の様に、幅が最大で９ビットで高さが１〜５のなだらかな山状となる。しかしながら、「０」以外のデータの連続する位置により、５回の検知動作でマーク付けがされた全てのドロップアウト箇所ＤＯの磁気テープ長手方向における位置が特定され、更にそのピーク値の値から各ドロップアウトの種類が推測されるのである。
【００６５】
以上の様にして特定されたドロップアウト箇所ＤＯおよび種類は、表示部３２に備えたディスプレイの表示画面上に、数値あるいは図形をもって表示される。更に、磁気テープ１２上において検出された全てのドロップアウトの位置が第２の記録再生素子４６を用いて既にマーク付けがされているため、何番目のマークがパーマネントなドロップアウトの位置かというデータを基にして、磁気テープ１２上におけるパーマネントなドロップアウトの発生位置を特定することができる。
【００６６】
同時に、パーマネントなドロップアウトに対応するマーク以外は消去すると、磁気現像の様な手法を用いた場合にあっても容易にその箇所を目視により特定できる。その他、磁気的なマークに代え、あるいは加えて、磁気テープ上に物理的な傷を付けたり、塗料でマークをつけるなど、ドロップアウトの箇所ＤＯをマークする方法は限定されるものではない。
【００６７】
更に、磁気テープ１２の長さが長尺の場合にあっては、磁気テープ１２をその長手方向に複数に区画し、各区画を単位として、上記した時間軸の位置合わせ或いは２値データ列２４のビット和によるパーマネントのドロップアウト箇所ＤＯの特定とを行わせることができる。
【００６８】
【発明の効果】
本発明は上記の如く、記録媒体に対する記録および再生を複数回繰り返して比較することにより、ドロップアウトの原因がパーマネントのものかテンポラリーのものかを容易に判定できる。
【００６９】
また、検知に必要な分解能に対応した基準信号Ｓ１を記録する一方、基準信号のレベルが設定値を超える毎に１周期より長いパルスを出力することにより、所定周期分だけ連続して基準信号が発生されない期間に対応して検知信号を出力可能とすることにより、検知可能とするドロップアウトの分解能を任意かつ容易に変更できる。
【００７０】
更に、検知されたドロップアウト信号列を２値データ列に変換するとともに、１ビットずつシフトさせながら各ビットの一致数をカウントし、一致数が最大になるオフセット量で時間軸をずらせることにより、記録媒体上における記録再生位置が正確には特定できない場合にあっても、複数の検知データにおける時間軸の一致をビット単位で正確に図ることができる。
【００７１】
更にまた、ドロップアウト信号Ｓ５の時間幅を検出されたドロップアウトの大きさに拘らず十分大きい一定値に設定する一方、複数ビットの２値数で表現することにより、記録媒体に対する記録再生中における検出速度にむらが発生した場合にあっても、パーマネントなドロップアウトの箇所を誤検知することを未然に防止できる。
【図面の簡単な説明】
【図１】本発明をドロップアウト検知装置に実施した一例を示すブロック図である。
【図２】磁気ヘッドとテープ上の記録位置との関係を示す説明図である。
【図３】検知部の具体的な一例をブロック図で示すとともに、各段階の波形の変化を対応して示す。
【図４】ドロップアウト箇所を検知する手順を示す波形図である。
【図５】２値データ列の時間軸を一致させる手順を示す説明図である。
【図６】２値データ列からパーマネントなドロップアウトの箇所を検知する手順を示す説明図である。
【符号の説明】
１０  ドロップアウト検知装置
１２  磁気テープ
１３  磁気テープの走行部
１４  駆動部
１６  記録面
１８  記録再生部
２０  ドロップアウト信号列
２２  検知部
２４  ２値データ列
２６  変換部
２８  演算部
３０  記憶部
３２  表示部
３４  制御部
３６  モータ
３８  磁気ヘッド
４０  記録素子
４２  再生素子
４４  第１の記録再生素子
４６  第２の記録再生素子
４８  発振器
５０  比較器
５２  第１の単安定マルチバイブレータ
５４  第２の単安定マルチバイブレータ
【図１】
2004319036.tif 000003
【図２】
2004319036.tif 000004
【図３】
2004319036.tif 000005
【図４】
2004319036.tif 000006
【図５】
2004319036.tif 000007
【図６】
2004319036.tif 000008